(57)【要約】【課題】  一連のブランクシートから組み上げられ、仕切機能を一体的に備えると共に、仕切片の離脱や展開を妨げる紙自体の硬直性を緩和しつつ、機械的に且つ自動的に包装用箱として組み立てるに適した構造を持つ包装用箱及びそのブランクシートの提供。【解決手段】  後側板１、左側板２、前側板３及び右側板４に囲まれた閉鎖空間を備え、その閉鎖空間にその前後にわたる仕切片を備えた包装用箱であって、前記右側板４の側縁に続いて後仕切板５を備えると共に、前記前側板３の上縁又は下縁に続いて前仕切板６を備え、前記後仕切板５は、前記後側板１の内面に接着された後リンク片５ｂ，５ｃと、それらに対して起立した第一仕切片５ａを備え、前記前仕切板６は、前記前側板３の内面に接着された前リンク片６ｂ，６ｃと、それらに対して起立し前記第一仕切片５ａと接合された第二仕切片６ａを備える包装用箱及びそのブランクシート。【選択図】      図１
2019108151.tif 000002
【特許請求の範囲】
【請求項１】
一連のブランクシートから組み立てられ、後側板、左側板、前側板及び右側板に囲まれた閉鎖空間を備え、前記閉鎖空間の内部に当該閉鎖空間の前後にわたる仕切片を備えた包装用箱であって、
前記右側板の側縁に続いて第一仕切片を具備する後仕切板を備えると共に、前記前側板の上縁又は下縁に続いて前記第一仕切片と重なり合う第二仕切片を具備する前仕切板を備え、
前記後仕切板は、前記後側板の内面に接着された後リンク片と、当該後リンク片に対して起立した第一仕切片を備え、
前記前仕切板は、前記前側板の内面に接着された前リンク片と、当該前リンク片に対して起立し前記第一仕切片と接合された第二仕切片を備えることを特徴とする包装用箱。
【請求項２】
前記後側板の上縁に続いて前記閉鎖空間の上開口部を閉鎖する上封鎖板を備えた包装用箱であって、
前記前側板の上位に、前記閉鎖空間の前面上部を開放し内容物を露出するための離脱部を備え、
前記上封鎖板の糊代部が前記離脱部に接着してあることを特徴とする請求項１に記載の包装用箱。
【請求項３】
後側板、左側板、前側板及び右側板に囲まれた閉鎖空間を備え、且つ前記閉鎖空間の内部に当該閉鎖空間の前後にわたる仕切片を備えた包装用箱に組み立てられる一連のブランクシートであって、
前記右側板の側縁に続いて第一仕切片を具備する後仕切板を備えると共に、前記前側板の上縁又は下縁に続いて前記第一仕切片と重なり合う第二仕切片を具備する前仕切板を備え、
前記後仕切板は、前記後側板の裏面に接着される後リンク片と、当該後リンク片に対して起立する第一仕切片を備え、
前記前仕切板は、前記前側板の裏面に接着される前リンク片と、当該前リンク片に対して起立し前記第一仕切片と接合される第二仕切片を備えることを特徴とする包装用箱のブランクシート。
【請求項４】
前記後側板の上縁に続いて前記閉鎖空間の上開口部を閉鎖する上封鎖板を備えた包装用箱に組み立てられる一連のブランクシートであって、
前記前側板の上位に、前記閉鎖空間の前面上部を開放し内容物を露出するための離脱部を備え、
前記上封鎖板に、前記離脱部に接着される糊代部を備えることを特徴とする請求項３に記載の包装用箱のブランクシート。
【発明の詳細な説明】
【技術分野】
【０００１】
本発明は、包装した商品を保持するための仕切材を一体的に備える包装用箱及びそのブランクシートに関する。
【背景技術】
【０００２】
例えば、クリーム状の軟膏などが入れられたチューブなどが入れられ相互の干渉によって変形し易い商品を複数収容する包装用箱では、商品相互の干渉を回避し商品の変形など損傷を回避するための仕切材を設ける必要性が生じる。
【０００３】
これまで、包装用箱を一連のブランクシートから組み上げる構成を採用し、当該ブランクシートのレイアウト及び折曲げ方を工夫することによって、包装用箱自体に内部に仕切を設けるための仕切片などを一体的に設ける手法（例えば下記特許文献１乃至特許文献３参照）が多数紹介されている。
【先行技術文献】
【特許文献】
【０００４】
【特許文献１】実用新案登録第３１９５４３９号公報
【特許文献２】実用新案登録第３２０６２８２号公報
【特許文献３】特開平１０−７７０２５号公報
【発明の概要】
【発明が解決しようとする課題】
【０００５】
しかしながら、特に、商品（以下「内容物」という）を一列に内包する包装箱など、前後の奥行きが比較的狭い包装用箱は、展開時における引揚げ幅が比較的狭いために、切込に囲まれた仕切片を十分に離脱（起立）させて展開させることが困難であり、自動機による組立てにおいて、仕切片に囲まれた仕切空間を確実に成形することが困難であるという問題がある（例えば特許文献１又は特許文献２参照）。
一方、仕切片の離脱及び展開の便宜のために、仕切片の周囲に過大な切込を入れると、仕切機能が脆弱となるという問題がある（例えば特許文献３参照）。
【０００６】
また、上記特許文献に記載の手法では、限られた紙面で、一様な仕切片を効率的に得つつ、仕切片の支持強度を維持する上では、仕切片が前後に傾斜した構成とならざるを得ず、上縁及び下縁が水平な仕切や、十分な高さを持った仕切を一様に設けることが困難であるという問題もある。
他方、仕切片の離脱や展開を容易としつつ、十分な仕切機能が与えられる構成を与えたとしても、更に、開封後において商品の名称、提供元又は効能などが明記された商品の側面を有る程度目視できる構成が求められる場合もある。
【０００７】
このように、箱の組立の自動化が進む上でも、手作業と同様又はそれを上回る品質や機能を満たすことが求められている実態において、それらの要請を如何なる構成や方法で満足するかが課題となっているところである。
【０００８】
本発明は、上記実情に鑑みて為されたものであって、一連のブランクシートから組み上げられる包装用箱であって、実用的な仕切機能を一体的に備えると共に、仕切片の離脱や展開を妨げる紙自体の硬直性を緩和しつつ、機械的に且つ自動的に包装用箱として組み立てるに適した構造を持つ包装用箱及びそのブランクシートの提供を目的とする。
【課題を解決するための手段】
【０００９】
上記課題を解決すべく為された本発明による包装用箱は、一連のブランクシートから組み立てられ、後側板、左側板、前側板及び右側板に囲まれた閉鎖空間を備え、前記閉鎖空間の内部に当該閉鎖空間の前後にわたる仕切片を備えた包装用箱であって、前記右側板の側縁に続いて第一仕切片を具備する後仕切板を備えると共に、前記前側板の上縁又は下縁に続いて前記第一仕切片と重なり合う第二仕切片を具備する前仕切板を備え、前記後仕切板は、前記後側板の内面に接着された後リンク片と、当該後リンク片に対して起立した第一仕切片を備え、前記前仕切板は、前記前側板の内面に接着された前リンク片と、当該前リンク片に対して起立し前記第一仕切片と接合された第二仕切片を備えることを特徴とする。
【００１０】
本発明による包装用箱は、前記後側板の上縁に続いて前記閉鎖空間の上開口部を閉鎖する上封鎖板を備えた包装用箱とし、前記前側板の上位に、前記閉鎖空間の前面上部を開放し内容物を露出するための離脱部を備え、前記上封鎖板の糊代部が前記離脱部に接着してある構成を採ることもできる。
【００１１】
上記課題を解決すべく為された本発明による包装用箱のブランクシートは、後側板、左側板、前側板及び右側板に囲まれた閉鎖空間を備え、且つ前記閉鎖空間の内部に当該閉鎖空間の前後にわたる仕切片を備えた包装用箱に組み立てられる一連のブランクシートであって、前記右側板の側縁に続いて第一仕切片を具備する後仕切板を備えると共に、前記前側板の上縁又は下縁に続いて前記第一仕切片と重なり合う第二仕切片を具備する前仕切板を備え、前記後仕切板は、前記後側板の裏面に接着される後リンク片と、当該後リンク片に対して起立する第一仕切片を備え、前記前仕切板は、前記前側板の裏面に接着される前リンク片と、当該前リンク片に対して起立し前記第一仕切片と接合される第二仕切片を備えることを特徴とする。
【００１２】
本発明による包装用箱のブランクシートは、前記後側板の上縁に続いて前記閉鎖空間の上開口部を閉鎖する上封鎖板を備えた包装用箱に組み立てられる一連のブランクシートとし、前記前側板の上位に、前記閉鎖空間の前面上部を開放し内容物を露出するための離脱部を備え、前記上封鎖板に、前記離脱部に接着される糊代部を備える構成とすることもできる。
【発明の効果】
【００１３】
本発明による包装用箱及びそのブランクシートによれば、一連のブランクシートから組み立てることから、複数の部材を形作るブランクシートの各々について、裁断工程及び組立工程が必要となることもなく、包装用箱の内部に仕切材などを装填する作業を要することもなく、包装用箱の製造から内容器の装填に至るまでの工程が簡素となる。
【００１４】
また、第一仕切片を具備する後仕切板を備えると共に、前記前側板の上縁又は下縁に続いて前記第一仕切片と重なり合って接着される第二仕切片を具備する前仕切板を備える構成によって、特に、奥行きが比較的狭い包装用箱であっても、切込に囲まれた仕切片の離脱や展開が比較的容易となるのみならず、仕切片の離脱及び展開の便宜のために、仕切片の周囲に比較的大きな切込を入れたとしても、仕切の維持に十分な強度を与えることができる。
本発明による包装用箱は、このように仕切片の離脱や展開を容易としつつ、十分な仕切機能が与えられる構成を持ちながら、自動機による組立にあっても高い歩留まりが得られるという効果がある。
【００１５】
更に、本発明による包装用箱は、前記後側板の上縁に続いて前記閉鎖空間の上開口部を閉鎖する上封鎖板を備えた包装用箱とし、前記前側板の上位に、前記閉鎖空間の前面上部を開放し内容物を露出するための離脱部を備え、前記上封鎖板の糊代部が前記離脱部に接着してある構成を採ることによって、開封後において商品の名称、提供元又は効能などが明記された商品の側面を目視できるという効果がある。
【図面の簡単な説明】
【００１６】
【図１】本発明による包装用箱の一例を示す開封時における斜視図である。
【図２】本発明による包装用箱の一例を示す開封時における斜視図である。
【図３】本発明による包装用箱の一例を示す六面図である。
【図４】本発明による包装用箱の一例を示す開封時における正面図である。
【図５】本発明による包装用箱の一例を示す図３（Ｃ）におけるＡ−Ａ矢視断面図である。
【図６】本発明による包装用箱（筒状）の一例を示す正面側から見た縦断面図である。
【図７】本発明による包装用箱の一例を示す図３（Ｃ）におけるＢ−Ｂ矢視断面図である。
【図８】本発明による包装用箱（筒状）の一例を示す裏面側から見た縦断面図である。
【図９】本発明による包装用箱の折畳み工程（ブランクシート）の一例を示す平面図である。
【図１０】本発明による包装用箱の折畳み工程の一例を示す平面図である。
【図１１】本発明による包装用箱の折畳み工程の一例を示す平面図である。
【図１２】本発明による包装用箱の折畳み工程の一例を示す平面図である。
【図１３】本発明による包装用箱の折畳み工程（ブランクシート）の一例を示す平面図である。
【発明を実施するための形態】
【００１７】
以下、本発明による包装用箱の実施の形態を、そのブランクシートの実施の形態と共に詳細に説明する。
図１乃至図８に示す例は、図９に示す一枚のブランクシートから直方体状に組み立てられ、四つの側板並びに上封鎖板７及び下封鎖板８に囲まれた直方体状の閉鎖空間を備え、且つ前記閉鎖空間の内部に、前側板３及び後側板１並びに当該閉鎖空間の前後にわたる仕切片に挟まれた均等な面積を持つ複数の保持領域を備える包装用箱である。
【実施例１】
【００１８】
前記包装用箱は、前記閉鎖空間を囲う四つの側板として、後側板１、左側板２、前側板３及び右側板４を備える。
更に、この例は、前記右側板４の側縁に続いて第一仕切片５ａを具備する後仕切板５を備えると共に、前記前側板３の下縁に続いて前記第一仕切片５ａと相互に重なり合った第二仕切片６ａを具備する前仕切板６を備える。
【００１９】
＜ブランクシート＞
前記包装用箱を形作るブランクシートは、閉鎖空間を取り囲む後側板１、左側板２、前側板３及び右側板４を一列に連結して備える。この例は、前記右側板４の側縁に続いて第一仕切片５ａを具備する後仕切板５を備えると共に、前記前側板３の下縁に続いて前記第一仕切片５ａと重なり合う第二仕切片６ａを具備する前仕切板６を備える（図９参照）。
【００２０】
前記左側板２及び右側板４は、前記上下封鎖板７，８の一部として、それぞれ上下端縁から延びる上下フラップ９，１１，１０，１２を備える。
また、前記後側板１は、前記上下封鎖板７，８の一部として、それぞれの端縁から延びる上封鎖片７ａ及び下端縁から延びる下封鎖片８ａを備える。
前記前側板３は、その上位に、前記閉鎖空間の前面上部を開放し内容物を露出するための離脱部３ａを備える。当該離脱部３ａは、その外縁として、間欠的に穿設された切込を備える。
前記上封鎖板７は、前記閉鎖空間の上開口部を覆う前記上封鎖片７ａと、前記前側板３の上位で下へ直角に折曲げられ前記離脱部３ａに接着される糊代部７ｂと、接着後に当該糊代部７ｂを剥がすために摘む摘み部７ｃを備える。
【００２１】
この例の前記後仕切板５は、長方形状の前記後側板１の裏面に接着される後リンク片５ｂ，５ｃと、当該後リンク片５ｂ，５ｃに対して起立し相互に平行となるように閉鎖空間を仕切る第一仕切片５ａを備える。
この例の後リンク片は、上下に平行に配置された上下後リンク片５ｂ，５ｃと、当該上下後リンク片５ｂ，５ｃの右（折曲げられていないブランクシートの裏面から見て右）端部を連結し最も右側の第一仕切片５ａの右縁を支持する中継ぎ片５ｄとからなるＵ字状に構成される。
前記第一仕切片５ａは、当該上下後リンク片５ｂ，５ｃの間に、略同じ形状で複数横並びに連続して配置されている。
この例の上下後リンク片５ｂ，５ｃは、最も右側の第一仕切片５ａを除き、前記ヒンジ部５ｅを介して全ての第一仕切片５ａを支持する構成を備える。
【００２２】
例えば、上下の後リンク片５ｂ，５ｃの各第一仕切片５ａに隣接する内縁は、最も左側の第一仕切片５ａを除く全ての第一仕切板５ａについて、当該第一仕切片５ａが左側に向って先細りとなる様に、各第一仕切片５ａの左側の上下端部を面取りすることで残る三角形状の支持部５ｆを備える。
この例の各第一仕切片５ａは、概ね、上記形状を形作って切込みで囲まれているが、各第一仕切片５ａの面取りが施された辺の反対側（この例では右側）に位置する支持部５ｆと隣接する領域の一部はヒンジ部５ｅとして残しておく構成が採られている。
尚、各第一仕切片５ａの外縁にバリを残さないためには、前記ヒンジ部５ｅ以外の全ての切り込みが一連であることが望ましい。
【００２３】
この例の前記前仕切板６は、長方形状の前記前側板３の裏面に接着される前リンク片６ｂ，６ｃと、当該前リンク片６ｂ，６ｃに対して起立し相互に平行となるように閉鎖空間を仕切る第二仕切片６ａを備える。
この例の前リンク片は、上下に平行に配置された上下前リンク片６ｂ，６ｃと、最も右側の第二仕切片６ａの右縁を支持する支え片６ｄとで構成されている。
前記第二仕切片６ａは、当該上下前リンク片６ｂ，６ｃの間に、同じ形状で複数横並びに連続して配置されている。
この例の上下前リンク片６ｂ，６ｃは、最も右側の第二仕切片６ａを除き、前記ヒンジ部６ｅを介して全ての第二仕切片６ａを支持する構成を備える。
【００２４】
例えば、上下の前リンク片６ｂ，６ｃの各第二仕切片６ａに隣接する内縁は、最も左側の第二仕切片６ａを除く全ての第二仕切板６ａについて、当該第二仕切片６ａが左側に向って先細りとなる様に、各第二仕切片６ａの左側の上下端部を面取りすることで残る三角形状の支持部６ｆを備える。
この例の各第二仕切片６ａは、概ね、上記形状を形作って切込みで囲まれているが、各第二仕切片６ａの面取りが施された辺の反対側（この例では右側）に位置する支持部６ｆと隣接する領域の一部はヒンジ部６ｅとして残しておく構成が採られている。
尚、各第二仕切片６ａの外縁にバリを残さないためには、前記ヒンジ部６ｅ以外の全ての切り込みが一連であることが望ましい。
この例の上の前リンク片６ｂは、前記離脱部３ａを囲む切込を横切らないように、前記切込みから外側に出る部分を切り欠いておく。
【００２５】
この例では、前記前側板３に折り重ねた際の前記前仕切板６が備える全ての第二仕切片６ａと、前記右側板４との境界で前記前側板３及び前記前仕切板６の上に折り重ねた前記後仕切板５に設けた全ての第一仕切片５ａは、相互に向き合う形となるように、前記前後仕切板６，５における各仕切片６ａ，５ａの幅と高さ（上下リンク部の間隔）を一致させてある。
尚、前記第一仕切片５ａ及び前記第二仕切片６ａそれぞれについての、前記ヒンジ部５ｅ，６ｅ及びそれらに連なる前記支持部５ｆ，６ｆ、並びに前記中継ぎ片５ｄ及び前記支え片６ｄは、箱を立体化する展開工程において前記第一仕切片５ａ及び前記第二仕切片６ａがそれぞれ開く方向と同じ側に設ければよい。
【００２６】
前記下封鎖板８は、前記閉鎖空間の下開口部全体を覆う下閉鎖部８ａと、当該閉鎖空間の下開口部に差し入れる差込部８ｂを備える。
【００２７】
上記例のような包装用箱を形作る各構成要素（板や片等）又はそれらの各部位間の境界は、折曲げ成形を行う際の便宜や解体の便宜などのために、他の部分との相対的な強度差を与えるべく、当該境界線に沿って適宜設けられたミシン目状の間欠切込を備える。
各間欠切込の周期、深さ又は間欠割合等は、切断や折曲げなど、目的に応じて適宜調整する。
【００２８】
＜組立＞
この例の組立は、立体化の下準備であって折曲げ作業及び貼着作業を伴う折畳み工程と、当該折畳み工程を経たブランクシートを筒状に立体化する展開工程と、筒状となったブランクシートの底を閉じ有底筒体とする底閉じ工程と、当該底閉じ工程を経た有底筒体に内容物を装填する装填工程と、内容物が装填された有底筒体を封鎖する封鎖工程を経てなされる。
【００２９】
前記折畳み工程は、前記前仕切板６を前記前側板３の裏側へ折重ねると共に、当該前仕切板６の上前リンク片６ｂ及び下前リンク片６ｃを当該前側板３の裏面に接着する第一折重ねステップ（図１０参照）と、前記後仕切板５を、前記右側板４との境界を折曲げ線として、当該右側板４の裏面及び前記前仕切板６の表面上へ折重ねると共に、前仕切板６の全ての第二仕切片６ａの表面と後仕切板５の全ての第一仕切片５ａの裏面を接着する第二折重ねステップ（図１１参照）と、前記左側板２と前記後側板１を、前記前側板３と前記左側板２との境界を折曲げ線として、前記後仕切板５の表面上に折重ねると共に、当該後仕切板５の上下後リンク片５ｂ，５ｃ及び中継ぎ片５ｄと前記後側板１の裏面とを接着する第三の折重ねステップ（図１２参照）からなる。
【００３０】
この例では、前記第一折重ねステップの際に、前記前側板３の裏面は、前記前仕切板６が備える第二仕切片６ａの裏面との接着を行わない。
また、前記第二折重ねステップの際に、前記前仕切板６の上下前リンク片６ｂ，６ｃと前記後仕切板５の上下後リンク片５ｂ，５ｃ及び第一仕切片５ａとの接着を行わず、前記右側板４と前記後仕切板５の中継ぎ片５ｄとの接着は行わない。
また、前記第三折重ねステップの際に、前記後側板１と前記後仕切板５の第一仕切片５ａとの接着を行わず、前記前仕切板６の支え片６ｄと前記左側板２の裏面との接着は行わない。
【００３１】
前記展開工程は、上記の如く折曲げ工程を終えたブランクシートを、前記左側板２及び前記右側板４が前記前側板３及び前記後側板１に対して直角に起立するまで、前記前側板３と前記後側板１との間隔を開くように操作する（図５乃至図８参照）。
その結果、この例の前記第二仕切片６ａ及び前記第一仕切片５ａは、前後リンク片６ｂ，６ｃ，５ｂ，５ｃの双方のヒンジ部６ｅ，５ｅを介して前後から両側縁それぞれが引っ張られ、前記前側板３及び前記後側板１から前記前リンク片６ｂ，６ｃ及び支え片６ｄ、並びに後リンク片５ｂ，５ｃ及び中継ぎ片５ｄを残して離脱すると共に、前記第二仕切片６ａ及び前記第一仕切片５ａが一体の複層仕切片となって、前記左側板２及び前記右側板４と平行となる（平行とならない構成も可能である）に至るまで確実に誘導される。
これにより、前記複層仕切片は、前記前仕切板６及び後仕切板５に切り込まれた間隔で前記支持空間を左右方向に並ぶ複数の保持領域に区分する。
【００３２】
前記底閉じ工程は、当該下開口部を構成する前記左右側板２，４から延出する一対の下フラップ１０，１２を、当該下開口部を封じるように直角に折り曲げ、最後に前記下封鎖片８ａを、先に折曲げた下フラップ１０，１２の上へ折曲げ、その差込部８ｂを前記後側板１と一対の下フラップ１０，１２との隙間に差し入れて封じるものである（図１参照）。
この後、装填工程において、前記複層仕切片によって形成された複数の保持領域に、内容物（例えばアンプル等）を装填する。
【００３３】
前記封鎖工程は、前記閉鎖空間を囲う前記左右側板２，４の上端から延出する一対の上フラップ９，１１を、当該閉鎖空間の上開口部を封じるように直角に折り曲げ、最後に前記上封鎖片７ａを、前記閉鎖空間の上開口部全体を覆うように直角に折曲げ、当該閉鎖空間を囲う前記前側板３の前記離脱部３ａに前記上封鎖板７の糊代部７ｂを接着するものである。
この際、前記糊代部７ｂと前記離脱部３ａ以外の部分、例えば、前記摘み部７ｃと前記前側板３との間などについては接着を行わない。
【００３４】
＜開封及び再封＞
上記の如く組み立てられた包装用箱は、前記摘み部７ｃを引揚げ、前記糊代部７ｂを前記前側板３の表面から引き剥がすように操作することによって開封する。
その際、前記前側板３の上部に設けられた離脱部３ａは、その周囲の切込みの破断によって分離し、前記糊代部７ｂの裏面に定着した形で前記上封鎖板７と一体化する。
これによって、前記閉鎖空間の前面上部が開放され、内容物の側面の一部を露出することとなる。
再封可能な構成を採る場合には、前記前側板３の前記離脱部３ａの下位に前記摘み部７ｃを差し入れる切込みを設けることによって、再封状態を維持できる構成となる。
【００３５】
尚、この発明による包装用箱の具体的な構成は、上記例に限定されるものではなく、前記折畳み工程を経た一連のブランクシートが、単一方向への操作で前記閉鎖空間を備える立体となり、当該閉鎖空間が複層仕切片で仕切られた複数の保持領域を確実に形作って展開する構成である限りにおいて、前記閉鎖空間の開口部を封じる構造や、前記仕切片の複層形状など包装用箱を形作る各構成要素の形状や構成を適宜変更することが可能である。
【実施例２】
【００３６】
例えば、図１３に示す例は、機械による自動組立の更なる便宜を図ったものである。
この例の前記下封鎖板８は、前記閉鎖空間の下開口部を覆う後封鎖片１３と前封鎖片１４を備える。
前記前封鎖片１４は、前記閉鎖空間の下開口部全体を覆う形状を備え、前記後封鎖片１３は、前記左右側板２，４それぞれの下縁から延設された前記左右下フラップ１０，１２上で前記前封鎖片１４を下支えする。
この例の前記底閉じ工程は、当該下開口部を構成する前記左右側板２，４から延出する一対の下フラップ１０，１２を、当該下開口部を封じるように直角に折り曲げ、前記後封鎖片１３を、先に折曲げた下フラップ１０，１２の上へ折曲げ、最後に、前記前封鎖片１４を、前記後封鎖片１３の表面に貼着して封じる以外は、前記実施例１と同様の工程を経る。
【００３７】
このように、各側板の下縁にそれぞれフラップ１０，１２や封鎖片１３，１４を設けると、前記前側板３の下縁に続いて前記前仕切板６を設けることが出来ない場合がある。
この例は、前記右側板４の側縁に続いて第一仕切片５ａを具備する後仕切板５を備えると共に、前記前側板３の上縁に続いて前記第一仕切片５ａと重なり合う第二仕切片６ａを具備する前仕切板６を備えたブランクシートの例である。
この例を用いた組立工程の前記折畳み工程は、第一折重ねステップにおいて、前記前仕切板６を、前記前側板３の上縁を折曲げ線としてその裏側へ折重ねる点で異なるが、他の点で相違はなく、前記展開工程、装填工程及び封鎖工程においては、前記実施例１と同様である。
【００３８】
また、この例では、各室の内容物をより幅広く保護するために、第一仕切片５ａが第二仕切片６ａよりも高く設定されており、且つ各第一仕切片５ａの上先端部の支持部５ｆが下先端部の支持部５ｆに比較して、各第一仕切片５ａ奥行きが狭くなる様に下向きに食込む形で切り込まれている。
この食込みを設けることによって、そこに生じる空間に説明書き等の書類を安定して保持することができる。
【００３９】
尚、複層仕切片は、上記実施例２のように、その全域が複層となっていない構成とすることができる。前記第二仕切片６ａ及び前記第一仕切片５ａが向き合う部分は複層となるが、第一仕切片５ａと第二仕切片６ａの形状が、両者の重なる部分の形状と異なる場合には、前記第二仕切片６ａ及び前記第一仕切片５ａが向き合わない部分には、単層の部分が生じる。
【符号の説明】
【００４０】
１  後側板，２  左側板，
３  前側板，３ａ  離脱部，
４  右側板，
５  後仕切板，
５ａ  第一仕切片，５ｂ  （後上）リンク片，５ｃ  （後下）リンク片，
５ｄ  中継ぎ片，５ｅ  ヒンジ部，５ｆ  支持部，
６  前仕切板，
６ａ  第二仕切片，６ｂ  （前上）リンク片，６ｃ  （前下）リンク片，
６ｄ  支え片，６ｅ  ヒンジ部，６ｆ  支持部，
７  上封鎖板，７ａ  上封鎖片，７ｂ  糊代部，７ｃ  摘み部，
８  下封鎖板，８ａ  下封鎖片，８ｂ  差込部，
９  （左上）フラップ，１０  （左下）フラップ，
１１  （右上）フラップ，１２  （右下）フラップ，
１３  後封鎖片，１４  前封鎖片，
【図１】
2019108151.tif 000003
【図２】
2019108151.tif 000004
【図３】
2019108151.tif 000005
【図４】
2019108151.tif 000006
【図５】
2019108151.tif 000007
【図６】
2019108151.tif 000008
【図７】
2019108151.tif 000009
【図８】
2019108151.tif 000010
【図９】
2019108151.tif 000011
【図１０】
2019108151.tif 000012
【図１１】
2019108151.tif 000013
【図１２】
2019108151.tif 000014
【図１３】
2019108151.tif 000015